(57)【要約】【課題】  非常に簡易な構成で、植木鉢や、プランターといった植物栽培容器に対する適応性が高く、着脱も容易で、さらに植物を損傷することがなく、挟持部による確実な支柱の固定により、着実に植物を保持することができる植物栽培用支柱を提供する。【解決手段】  植木鉢等の容器７内で植物１０を支持するための植物栽培用支柱１であって、植物栽培用支柱１は、折り曲げ可能な素材によって構成された棒状体からなり、一端側（１ａ側）を少なくとも２回折り返して、容器７の上端縁側の側壁７ａを挟持可能な挟持部３を備える。【選択図】図５
2018029535.tif 000002
【特許請求の範囲】
【請求項１】
容器内で植物を栽培するのに用いる植物を支持するための植物栽培用支柱であって、
当該植物栽培用支柱は、折り曲げ可能な素材によって構成された棒状体からなり、一端側を少なくとも２回折り返して、前記容器の上端縁側の側壁を挟持可能な挟持部を備えることを特徴とする植物栽培用支柱。
【請求項２】
前記植物栽培用支柱は、前記一端側において設けられた第１の折返部と、当該第１の折返部よりもさらに前記一端側に配された第２の折返部と、当該第２の折返部よりもさらに前記一端側に配された第３の折返部とを備え、
前記第１の折返部及び当該第１の折返部の両脇の部分と、前記第３の折返部及び当該第３の折返部の両脇の部分とが、前記第２の折返部を介して対向して前記側壁を挟持することを特徴とする請求項１に記載の植物栽培用支柱。
【請求項３】
前記第１の折返部、前記第２の折返部及び前記第３の折返部は、前記折り曲げ可能な素材を１８０°折り返して構成されて、前記第１の折返部よりも前記植物栽培用支柱の他端側に位置し、当該第１の折返部に隣接する第１の直状部、前記第１の折返部と前記第２の折返部との間に位置する第２の直状部、前記第２の折返部と前記第３の折返部との間に位置する第３の直状部及び前記第３の折返部よりも前記一端側に位置し、当該第３の折返部に隣接する第４の直状部が形成され、
前記第１の直状部、前記第２の直状部、前記第３の直状部及び前記第４の直状部は、いずれも互いに平行の関係で配され、かつ、直状の軸方向に沿って看取した場合に隣り合う前記直状部までの距離が互いに等しい正方形様に配され、
当該距離は、前記容器の上端縁側の前記側壁の前記挟持部により挟持される箇所において、前記挟持部が挟持力を発揮し得る所定の距離であることを特徴とする請求項２に記載の植物栽培用支柱。
【請求項４】
前記折り曲げ可能な素材は、金属であって、前記挟持部による前記側壁の挟持は、前記金属の弾性変形を利用したものであることを特徴とする請求項１乃至請求項３のうち、いずれか１に記載の植物栽培用支柱。
【請求項５】
前記植物栽培用支柱は、樹脂素材により被覆されていることを特徴とする請求項１乃至請求項４のうち、いずれか１に記載の植物栽培用支柱。
【請求項６】
前記容器は、鉢又はプランターであることを特徴とする請求項１乃至請求項５のうち、いずれか１に記載の植物栽培用支柱。
【発明の詳細な説明】
【技術分野】
【０００１】
本発明は、非常に簡易な構成で、植木鉢や、プランターといった植物栽培容器に対する適応性が高く、着脱も容易で、さらに植物を損傷することがなく、挟持部による確実な支柱の固定により、着実に植物を保持することができる植物栽培用支柱に関する。
【背景技術】
【０００２】
植木鉢や、プランター等の植物栽培用の容器で植物を栽培する場合、特に蘭科植物等のような展示性が高い植物では、花茎や、葉等を保持し観賞価値を高めるための支柱が多く用いられている。
【０００３】
従来、容器内のコンポストや、土に支柱を突き刺して立設しているために、以下の課題があった。
【０００４】
即ち、従来の支柱を鉢に突き刺すにあたり、植物の根、匍匐茎等に当たってしまい、突き刺すこと自体困難である場合が多々ある。また、植物の根や、匍匐茎等を避けて土等に突き刺そうとすると、支柱が所望の適切な位置からずれてしまうことが多く、さらに容器内の状態により、支柱がぐらついて植物を適切に支持できない。
【０００５】
また、容器内に支柱を突き刺す際に植物の根や、匍匐茎等を切断若しくは、貫通してしまい植物を傷つけ物理的に衰弱させてしまう。特に、植物の根や、匍匐茎を傷つけることにより、細菌や、ウィルス等への感染の可能性が高まってしまう。特に、蘭科植物のように個体毎で著しく高価な価値を持つ植物では、細菌や、ウィルス等への感染により、枯死したり、著しく価値が低下するため、植物の細菌や、ウィルス等への感染防止についてのニーズが高い。
【０００６】
そこで、先行技術文献１及び先行技術文献２においては、植木鉢等の容器の外に支柱の保治具をさらに設けて支柱を土等に刺すことなく、支柱の立設を実現した構成が開示されている。
【先行技術文献】
【特許文献】
【０００７】
【特許文献１】特開２０１５−８４７１１号公報
【特許文献２】実開平０８−１５５３号公報
【発明の概要】
【発明が解決しようとする課題】
【０００８】
しかしながら、支柱を土等に突き刺すことなく立設するには、支柱を立接するために支柱の保治具等の別の構成要素を必要とするため、コストが増えてしまうばかりか、植木鉢等への保治具の設置や、保治具への支柱の固定等に労力がかかり、支柱の立設を簡単に行うことができない。
【０００９】
そこで本発明は、非常に簡易な構成で、植木鉢や、プランターといった植物栽培容器に対する適応性が高く、着脱も容易で、さらに植物を損傷することがなく、挟持部による確実な支柱の固定により、着実に植物を保持することができる植物栽培用支柱を提供することを目的とする。
【課題を解決するための手段】
【００１０】
上記目的達成のため、本発明の植物栽培用支柱は、容器内で植物を栽培するのに用いる植物を支持するための植物栽培用支柱であって、当該植物栽培用支柱は、折り曲げ可能な素材によって構成された棒状体からなり、一端側を少なくとも２回折り返して、前記容器の上端縁側の側壁を挟持可能な挟持部を備えることを特徴とする。
【００１１】
また、本発明の前記植物栽培用支柱は、前記一端側において設けられた第１の折返部と、当該第１の折返部よりもさらに前記一端側に配された第２の折返部と、当該第２の折返部よりもさらに前記一端側に配された第３の折返部とを備え、前記第１の折返部及び当該第１の折返部の両脇の部分と、前記第３の折返部及び当該第３の折返部の両脇の部分とが、前記第２の折返部を介して対向して前記側壁を挟持することを特徴とする。
【００１２】
また、本発明の前記第１の折返部、前記第２の折返部及び前記第３の折返部は、前記折り曲げ可能な素材を１８０°折り返して構成されて、前記第１の折返部よりも前記植物栽培用支柱の他端側に位置し、当該第１の折返部に隣接する第１の直状部、前記第１の折返部と前記第２の折返部との間に位置する第２の直状部、前記第２の折返部と前記第３の折返部との間に位置する第３の直状部及び前記第３の折返部よりも前記一端側に位置し、当該第３の折返部に隣接する第４の直状部が形成され、前記第１の直状部、前記第２の直状部、前記第３の直状部及び前記第４の直状部は、いずれも互いに平行の関係で配され、かつ、直状の軸方向に沿って看取した場合に隣り合う前記直状部までの距離が互いに等しい正方形様に配され、当該距離は、前記容器の上端縁側の前記側壁の前記挟持部により挟持される箇所において、前記挟持部が挟持力を発揮し得る所定の距離であることを特徴とする。
【００１３】
また、本発明の前記折り曲げ可能な素材は、金属であって、前記挟持部による前記側壁の挟持は、前記金属の弾性変形を利用したものであることを特徴とする。
【００１４】
また、本発明の前記植物栽培用支柱は、樹脂素材により被覆されていることを特徴とする。
【００１５】
また、本発明の前記容器は、鉢又はプランターであることを特徴とする。
【発明の効果】
【００１６】
本発明の植物栽培用支柱によれば、非常に簡易な構成で、植木鉢や、プランターといった植物栽培容器に対する適応性が高く、着脱も容易で、さらに植物を損傷することがなく、挟持部による確実な支柱の固定により、着実に植物を保持できる。
【００１７】
即ち、本発明によれば、金属等から構成される一本の棒状体を折り曲げ加工等するのみで製造することができることから、その製造が非常に容易であるばかりか、その簡易な構成から非常に低コストでその構成を実現可能である。
【００１８】
また、本発明によれば、複雑な嵌合、ねじ込、ボルト止め等の作業をすること無しに、挟持部による挟持のみで支柱を植物栽培容器に設置できるため、支柱の設置の時間及び労力が大幅に軽減可能である。
【００１９】
また、本発明によれば、従来の支柱のように、土の中に支柱を突き刺して支柱を固定する必要がないため、土中に突き刺した支柱が植物の根や、茎を傷つけることが防止されるため、植物が、細菌や、ウイルスに感染してしまうことを防止することができる。
【００２０】
また、本発明によれば、植物の根や、匍匐茎を傷つけることが防止されるため、植物の植え付け前に、植物栽培容器内に支柱を設置する必要がなく、植物の生育後に必要な個所に支柱を容易に設置できる。
【００２１】
特に、本発明によれば、第３の折返部を設けた場合は、植物の生長により、仮に支柱が土や、植物の根や、匍匐茎に接触してしまった場合であっても、円弧状に折り曲げられた第１の折返部及び第３の折返部が、植物の根や、匍匐茎に触れるのみで、比較的に鋭利な直棒部の先端部分が触れるものではないので、植物の根や、匍匐茎を傷つける恐れがなく、この点からも植物が、細菌や、ウイルスに感染してしまうことを防止することができ、安心して植物栽培用支柱の使用が可能である。
【００２２】
また、従来の支柱は、土中に支柱を突き刺し、確実に固定するべく、植物栽培容器の底部に接触するまで支柱を突き刺して、底部への接触を利用して支柱を固定する必要があったものの、本発明は、その挟持部により植物栽培容器の上端縁の側壁部分を挟持するのみで支柱の固定が可能であることから、その素材が短くて済み、低コストで製造が可能であるばかりか、従来の支柱に比較して長尺に構成する必要がないため、輸送も容易である。
【００２３】
また、植木鉢や、プランターといった植物栽培容器の側壁の上端縁側は、上端縁側に先窄まり状のテーパ状に構成されるものが多い。本発明の支柱は、第１の直状部、第２の直状部、第３の直状部及び第４の直状部が、いずれも互いに平行の関係で配され、かつ、直状の軸方向に沿って看取した場合に隣り合う直状部までの距離が互いに等しい正方形様に配され、この距離は、容器の上端縁側の側壁の挟持部により挟持される箇所において、挟持部が挟持力を発揮し得る所定の距離となるため、容器に対する確実な支柱の固定が可能である。
【００２４】
また、植木鉢や、プランターといった植物栽培容器の側壁は、平面視、円環状に構成されることが多い。本発明の支柱は、第１の直状部、第２の直状部、第３の直状部及び第４の直状部が、いずれも互いに平行の関係で配され、かつ、直状の軸方向に沿って看取した場合に隣り合う直状部までの距離が互いに等しい正方形様に配され、この距離は、容器の上端縁側の側壁の挟持部により挟持される箇所において、挟持部が挟持力を発揮し得る所定の距離である。
【００２５】
この場合、植物栽培容器は、ある程度の厚みを有する側壁により構成されており、本発明の支柱を側壁が平面視、円環状の容器に装着する場合、側壁を介して対向する第１の直状部と第４の直状部との距離と、第２の直状部と第３の直状部との距離は、円環状の側壁から円環の中心点に対する垂線方向の厚みよりも増大する。即ち、この距離は、この垂線方向からずれてしまうため、円環状の側壁から円環の中心点に対する垂線方向の厚みよりも長くなってしまうため、その分だけ挟持力が強まり、さらに十分に挟持力が発揮されるため、容器に対する確実な支柱の固定が可能である。
【００２６】
そのため、本発明の支柱は、植物栽培容器の側壁の上端縁側が、上端縁側に先窄まり状のテーパ状に構成されるものや、側壁が、平面視、円環状に構成されるものに対して使用することが可能であり、この何れか又は両方に該当する植物栽培容器が多数であることから、本発明の支柱は非常に多くの植物栽培容器に使用可能である。
【図面の簡単な説明】
【００２７】
【図１】本発明の植物栽培用支柱の全体構成を示す斜視図である。
【図２】図１の植物栽培用支柱の図であって、（ａ）は挟持部の正面図、（ｂ）挟持部の右側面図、（ｃ）は平面図である。
【図３】図１の植物栽培用支柱を植物栽培容器に設置した状態の図であり、側壁の厚みがテーパ状に構成された容器に支柱を設置した状態の説明断面図である。
【図４】図１の植物栽培用支柱を植物栽培容器に設置した状態の図であり、（ａ）は側壁が円環状に構成された容器に支柱を設置した状態の説明平面図、（ｂ）は同（ａ）の状態の概念を説明するための模式図である。
【図５】図１の植物栽培用支柱の使用方法を示す斜視図である。
【発明を実施するための形態】
【００２８】
以下、図面を参照して、本発明による植物栽培用支柱を実施するための形態について説明する。尚、本発明の「植物栽培用支柱」を「支柱」とも称する。
【００２９】
本発明の植物栽培用支柱は、非常に簡易な構成で、植木鉢や、プランターといった植物栽培容器に対する適応性が高く、着脱も容易で、さらに植物を損傷することがなく、挟持部による確実な支柱の固定により、着実に植物を保持するものである。
【００３０】
［植物栽培用支柱の概要］
植物栽培用支柱の概要をまず説明する。図１は、本発明の植物栽培用支柱の全体構成を示す斜視図である。図５は、図１の植物栽培用支柱の使用方法を示す斜視図である。
図５に示すように、植木鉢や、プランターといった植物栽培容器（容器７）内で植物を栽培するのに用いるものであり、植物１０を支持するための支柱である。
【００３１】
この植物栽培用の支柱１は、図１及び図５に示すように、金属等の折り曲げ可能な素材によって構成された一本の棒状体からなり、一端１ａ側を少なくとも２回折り返して、容器７の上端縁側の側壁７ａを挟持可能な挟持部３を備えており、この棒状体の挟持部３が持つ弾性変形力を利用して側壁７ａの挟持を行うものである。また、金属の棒状体が樹脂素材等により被覆されて、挟持する容器７の表面を保護することも可能である。支柱１の直径は約２〜６ｍｍ程度が好適である。
【００３２】
また、支柱１の他端１ｂ側は、例えば、ストレートな直棒部２となっており、使用者の好みにより折り曲げ等することもある程度自由である。この直棒部２において図５に示すように、針金８等を巻き付ける等して植物の茎１０ａを支持して植物の支持を行う。
【００３３】
［植物栽培用支柱の構成の詳細］
植物栽培用支柱の構成の詳細をさらに図２及び図３をも加えて説明する。図２は、図１の植物栽培用支柱の図であって、（ａ）は挟持部の正面図、（ｂ）挟持部の右側面図、（ｃ）は平面図である。図３は、図１の植物栽培用支柱を植物栽培容器に設置した状態の図であり、側壁の厚みがテーパ状に構成された容器に支柱を設置した状態の説明断面図である。
【００３４】
植物栽培用支柱１は、図１及び図２に示すように、棒状体の一端１ａ側において設けられた第１の折返部３ａ１と、第１の折返部３ａ１よりも連続する部材としてさらに一端１ａ側に配された第２の折返部３ａ２と、第２の折返部３ａ２よりも連続する部材としてさらに一端側１ａに配された第３の折返部３ａ３を備えている。
【００３５】
尚、この第１の折返部３ａ１、第２の折返部３ａ２及び第３の折返部３ａ３の位置関係は、連続する棒状体の部材を伝って把握した場合の位置関係を意味し、絶対的な位置関係として第１の折返部３ａ１よりも第２の折返部３ａ２が棒状体の一端１ａ側に位置し、さらに第３の折返部３ａ３が第２の折返部３ａ２よりもさらに一端１ａ側に位置することを意味するものではない。
【００３６】
これにより第１の折返部３ａ１及び第１の折返部の両脇の直状部分と、第３の折返部３ａ３及び第３の折返部の両脇の直状部分とが、第２の折返部３ａ２を介して対向して植物栽培用の容器７の上端縁側の側壁７ａを挟持することとなる。
【００３７】
より詳細に説明するに、第１の折返部３ａ１、第２の折返部３ａ２及び前記第３の折返部は、折り曲げ可能な素材を１８０°折り返して構成されている。第１の折返部３ａ１よりも支柱１を構成する棒状体の他端１ｂ側に位置し、第１の折返部３ａ１に隣接する第１の直状部３ｂ１、第１の折返部３ａ１と第２の折返部３ａ２との間に位置する第２の直状部３ｂ２、第２の折返部３ａ２と第３の折返部３ａ３との間に位置する第３の直状部３ｂ３及び第３の折返部３ａ３よりも一端１ａ側に位置し、第３の折返部３ａ３に隣接する第４の直状部３ｂ４が形成されている。
【００３８】
この第１の折返部３ａ１、第２の折返部３ａ２及び第３の折返部３ａ３の各折返部は、挟持部３における挟持力を確保するために、棒状体の弾性変形力を維持するべく、弾性変形力が発揮されなくなるような、鯖折型（棒状体が塑性変形しきった状態）ではなく、第１の直状部３ｂ１、第２の直状部３ｂ２、第３の直状部３ｂ３及び第４の直状部３ｂ４の各直状部が所定の距離離れるように、各折返部は、例えば、本実施の形態に示すように円弧状に緩やかに折り曲げられている。そのため、当然各折返部の頂点に棒状態が直状となる部分があってもよい。
【００３９】
また、図１及び図２に示すように第１の直状部３ｂ１、第２の直状部３ｂ２、第３の直状部３ｂ３及び第４の直状部３ｂ４は、いずれも互いに平行の関係で配されている。  
【００４０】
また、これら各直状部は、図２（ｃ）に示すように、直状の軸方向に沿って看取した場合に隣り合う前記直状部までの距離Ｌ（所定の距離Ｌ）が互いに等しい正方形様に配されている。
【００４１】
この距離Ｌは、容器７の上端縁側の側壁７ａの挟持部３により挟持される箇所において、挟持部３が挟持力を発揮し得る所定の距離となる。例えば、図３に示すように、容器７の上端縁側の側壁７ａにおいて、側壁７ａの外側壁７ａ１と内側壁７ａ２との対向部分の上端部の容器７の厚みＷ１よりも若干小さく設定されて、挟持部３の挟持力を高める。例えば、厚みＷ１が８ｍｍの場合、挟持力を発揮し得るように所定の距離Ｌは７ｍｍに設定されるが、挟持力を発揮可能であれば、所定の距離Ｌを適宜設定可能であり、これは支柱１の材質等にも左右される。
【００４２】
また、この距離Ｌを、図３に示すように、容器７の厚みＷ１よりも大きくした場合でも、挟持部３によって挟持される最も下方の位置である第１の折返部３ａ１と第３の折返部３ａ３の距離と一致する容器７の厚みＷ２よりも小さく設定することによっても挟持は可能である。
【００４３】
［植物栽培用支柱の使用方法］
さらに図４を加えて、植物栽培用支柱の使用方法を説明する。図４は、図１の植物栽培用支柱を植物栽培容器に設置した状態の図であり、（ａ）は側壁が円環状に構成された容器に支柱を設置した状態の説明平面図、（ｂ）は同（ａ）の状態の概念を説明するための模式図である。
【００４４】
図５に示すように、本発明の植物栽培用支柱１は、植木鉢や、プランターといった植物栽培容器（容器７）内で植物を栽培するべく、植物１０を支持するものであり、容器７の上端縁側の側壁７ａを挟持部３により挟持するように上方からスライドさせて設置する。この場合、挟持部３が持つ弾性変形力を利用して側壁７ａの挟持を行うものである。その後、支柱１の直棒部２の他端１ｂの向いている方向を微調整したい場合は、手で直棒部２を曲げて微調整を行う。また、支柱１の容器７からの取り外しは上方へ支柱１をスライドするのみで可能である。
【００４５】
一方、支柱１において、挟持部３とは反対の支柱１の他端１ｂ側は直棒部２であり、容器７に支柱１を設置後、針金８等を巻き付ける等して植物の茎１０ａを支持して植物１０の支持を行う。また、直棒部２には適宜、植物の説明等が付されたネームプレート９等をテープ等（不図示）を介して設置することも可能である。
【００４６】
この点を詳細に説明するに、図１に示すように、連続する第１の直状部３ｂ１、第１の折返部３ａ１及び第２の直状部３ｂ２により第１の挟持体５が構成される。また、連続する第３の直状部３ｂ３、第３の折返部３ａ３及び第４の直状部３ｂ４により第２の挟持体６が構成される。この第１の挟持体５及び第２の挟持体６が第２の折返部３ａ２を介して対向している。
【００４７】
そして、この対向する第１の挟持体５と第２の挟持体により容器７の上端縁側の側壁７ａを挟み込むべく、図３に示すように、第２の折返部３ａ２が容器７の上端部を跨ぐように、上方から容器７の上端縁側の側壁７ａに対して支柱１を下方に移動させて嵌合させる。この場合、挟持部３は、容器７の土１１の表面部１１ａよりも上方に位置することとなる。
【００４８】
尚、第１の挟持体５と第２の挟持体６の何れが容器７の外側壁７ａ１側に配されてもよく、即ち、植物を支える直棒部２が容器７の外側壁７ａ１又は内側壁７ａ２の何れ側に配されてもよく、この点は使用者の好みにより使い分けが可能である。
【００４９】
また、図３に示すように、植木鉢や、プランターといった植物栽培用の容器７の上端縁側の側壁７ａは、上端縁側に先窄まり状のテーパ状に構成されるものが多い。支柱１は、第１の直状部３ｂ１、第２の直状部３ｂ２、第３の直状部３ｂ３及び第４の直状部３ｂ４が、いずれも互いに平行の関係で配され、かつ、直状の軸方向に沿って看取した場合に隣り合う直状部までの距離Ｌが互いに等しい正方形様に配され、この距離Ｌは、容器７の上端縁側の側壁７ａの挟持部３により挟持される箇所において、挟持部３が挟持力を発揮し得る所定の距離となる。
【００５０】
例えば、容器７の上端縁側の側壁７ａにおいて、この側壁の外側壁７ａ１と内側壁７ａ２の対向部分の上端部の容器の厚みＷ１よりも小さく、かつ、上端側に先窄まり状のテーパ状に容器７の上端縁側の側壁７ａが構成されていることにより、容器７の底部に近づくにつれて側壁の厚みが増して、厚みＷ１よりも下方の部分がさらに肉厚になる（図３のＷ２）。
【００５１】
そのため、Ｌ＜Ｗ１＜Ｗ２の関係が成り立ち、そのため挟持部３の挟持力は容器７の底部に近づくにつれてさらに強力なものとなり、十分に挟持力が発揮されるため、容器７に対する確実な支柱１の固定が可能である。
【００５２】
尚、前述のように、この距離Ｌを、図３に示すように、容器７の厚みＷ１よりも大きくした場合でも、挟持部３によって挟持される最も下方の位置である第１の折返部３ａ１と第３の折返部３ａ３の距離と一致する容器７の厚みＷ２よりも小さく設定することによっても（Ｗ１＜Ｌ＜Ｗ２）、挟持は可能である。
【００５３】
また、図４に示すように、植木鉢や、プランターといった植物栽培用の容器７の側壁は、平面視、円環状に構成されることが多い。支柱１は、第１の直状部３ａ１、第２の直状部３ａ２、第３の直状部３ａ３及び第４の直状部３ａ４が、いずれも互いに平行の関係で配され、かつ、直状の軸方向に沿って看取した場合に隣り合う直状部までの距離Ｌが互いに等しい正方形様に配され、この距離Ｌは、容器７の上端縁側の側壁７ａの挟持部３により挟持される箇所において、挟持部３が挟持力を発揮し得る所定の距離となる。例えば、この距離Ｌは、容器７の上端縁側の側壁７ａにおいて、この側壁の外側壁７ａ１と内側壁７ａ２との対向部分の厚みＷ３（図４（ｂ））よりも小さい。
【００５４】
例えば、厚みＷ３が８ｍｍの場合、挟持力を発揮し得るように所定の距離Ｌは７ｍｍ〜５ｍｍ等に設定されるが、挟持力を発揮可能であれば、所定の距離Ｌを適宜設定可能であり、距離Ｌを厚みＷ３と等しい８ｍｍとする場合も想定され、これは支柱１の材質等にも左右される。
【００５５】
この場合、図４（ｂ）に示すように、容器７の上端縁側の側壁７ａは、ある程度の厚みＷ３を有する側壁により構成されており、支柱１を側壁が平面視、円環状の容器７に装着する場合、容器７の側壁を介して対向する第１の直状部３ｂ１と第４の直状部３ｂ４との距離Ｌ１と、第２の直状部３ｂ２と第３の直状部３ｂ３との距離Ｌ１は、円環状の側壁から円環の中心点７ｂに対する垂線Ｖ方向の厚みＷ３よりも増大する。
【００５６】
即ち、この距離Ｌ１は、この垂線Ｖ方向からずれてしまうため、円環状の側壁から円環の中心点７ｂに対する垂線Ｖ方向の厚みＷ３よりも長くなるため、Ｌ＜Ｗ３＜Ｌ１の関係となり、その分だけ挟持力が強まり、さらに十分に挟持力が発揮されるため、容器７に対する確実な支柱の固定が可能である。
【００５７】
そのため、支柱１は、容器７の側壁の上端縁側７ａが、上端縁側に先窄まり状のテーパ状に構成されるものや、側壁が、平面視、円環状に構成されるものに対して使用することが可能であり、この何れか又は両方に該当する植物栽培容器が多数であることから、支柱１は非常に多くの植木鉢やプランター等の容器７に使用可能である。
【００５８】
この発明は、その本質的特性から逸脱することなく数多くの形式のものとして具体化することができる。よって、上述した実施形態は専ら説明上のものであり、本発明を制限するものではないことは言うまでもない。
【００５９】
［先行技術文献との対比説明］
先行技術文献１及び先行技術文献２との対比説明を以下に行う。
【００６０】
先行技術文献１及び先行技術文献２ともに、立設させたい支柱を保持する保治具を植木鉢の外側に配している。この保治具という他の構成要素に支柱を固定することにより、支柱の立設を確保するものである。
【００６１】
しかしながら、本発明は、金属等から構成される一本の棒状体を折り曲げ加工等するのみで製造するできることから、その製造が非常に容易であるばかりか、その簡易な構成から非常に低コストでその構成を実現可能であり、さらに、複雑な嵌合、ねじ込、ボルト止め等の作業をすること無しに、挟持部による挟持のみで支柱を植物栽培容器に設置できるため、支柱の設置の時間及び労力が大幅に軽減可能であり、他の構成要素である保治具を用いて支柱の立設を実現する先行技術文献１及び先行技術文献２とはその技術的思想を全く異にするものである。
【符号の説明】
【００６２】
１        植物栽培用支柱（支柱）
１ａ      一端
１ｂ      他端
２        直棒部
３        挟持部
３ａ１    第１の折返部
３ａ２    第２の折返部
３ａ３    第３の折返部
３ｂ１    第１の直状部
３ｂ２    第２の直状部
３ｂ３    第３の直状部
３ｂ４    第４の直状部
５        第１の挟持体
６        第２の挟持体
７        容器（植木鉢）
７ａ      上端縁側の側壁
７ａ１    外側壁
７ａ２    内側壁
７ｂ      中心点
８        針金
９        ネームプレート
１０      植物
１０ａ    茎
１１      土
１１ａ    表面部
【図１】
2018029535.tif 000003
【図２】
2018029535.tif 000004
【図３】
2018029535.tif 000005
【図４】
2018029535.tif 000006
【図５】
2018029535.tif 000007